(57)【要約】【課題】運転部の横側方に張り出たデッキに手摺りを支持する作業機において、手摺りの振れ動きや変形を発生し難くする。【解決手段】運転部４の横側方に張り出す状態で、運転部４を介して運転部フレームに支持されたデッキ４２を備えている。運転部４とデッキ４２とに連結されて支持された手摺り５０を備えている。【選択図】図５
2016037052.tif 000002
【特許請求の範囲】
【請求項１】
運転部を支持する運転部フレームと、
前記運転部の横側方に張り出す状態で、前記運転部を介して前記運転部フレームに支持されたデッキと、
前記運転部と前記デッキとに連結されて支持された手摺りと、を備えている作業機。
【請求項２】
前記デッキにおける機体横方向での内端部が前記運転部に連結されて支持され、
前記デッキにおける機体横方向での外端部に前記手摺りが連結されている請求項１に記載の作業機。
【請求項３】
前記デッキは、前記運転部の横側部における前端側と後端側とに亘って設けられ、
前記手摺りとして、前記デッキの前端側に設けた前側の手摺り、及び、前記デッキの後端側に設けた後側の手摺りが備えられ、
前記前側の手摺りは、前記デッキの前端側に連結され、前記後側の手摺りは、前記デッキの後端側に連結されている請求項1又は２に記載の作業機。
【請求項４】
前記手摺りの下端側は、前記デッキの機体横外側に張り出され、かつ、前記デッキの機体横外側の側部に連結されている請求項１〜３のいずれか一項に記載の作業機。
【請求項５】
前記運転部に屋根部が備えられ、
前記屋根部を支持する支柱に前記手摺りの上端側が連結されている請求項１〜４のいずれか一項に記載の作業機。
【請求項６】
前記運転部に屋根部が備えられ、
前記屋根部を支持する支柱のうちの後方側の支柱に、前記デッキよりも上方箇所に対する昇り降りを可能にする梯子が連結され、
前記手摺りの上端側が前記梯子に連結されている請求項１〜５のいずれか一項に記載の作業機。
【請求項７】
前記梯子は、平面視で機体後方側ほど機体横外側に位置する状態で備えられ、
前記手摺りは、前記梯子における機体外側の箇所に連結されている請求項６に記載の作業機。
【請求項８】
前記運転部の後方に、機体横外方に向けて穀粒排出する穀粒タンクが設けられ、
前記デッキは、前記運転部に対し、平面視で、前記穀粒タンクによる穀粒排出が行われる機体横外方側と同じ側に位置しており、
前記手摺りとして、前記デッキの後端側に設けられた後側の手摺りが備えられ、
前記後側の手摺りに、前記穀粒タンクの穀粒排出操作を行なう操作具が支持されている請求項１〜７のいずれか一項に記載の作業機。
【請求項９】
前記運転部の後方に、機体横外方に向けて穀粒排出する穀粒タンクが設けられ、
前記デッキは、前記運転部に対し、平面視で、前記穀粒タンクによる穀粒排出が行われる機体横外方側と同じ側に位置しており、
前記手摺りとして、前記デッキの後端側に設けられた後側の手摺りが備えられ、
前記後側の手摺りにおける上下中間部に作業灯が支持されている請求項１〜８のいずれか一項に記載の作業機。
【請求項１０】
前記運転部の後方側箇所が走行機体に連結されている請求項１〜９のいずれか一項に記載の作業機。
【発明の詳細な説明】
【技術分野】
【０００１】
本発明は、運転部の横側方に張り出したデッキを備えた作業機に関する。
【背景技術】
【０００２】
上記した作業機として、従来、たとえば特許文献１に示される刈取収穫機があった。この刈取収穫機では、運転部におけるキャビンの外側箇所にデッキとしてのステップが備えられている。
【先行技術文献】
【特許文献】
【０００３】
【特許文献１】特開平２０１３−１８３６８２号公報
【発明の概要】
【発明が解決しようとする課題】
【０００４】
上記した作業機において、従来、デッキに手摺りを設けるに当たり、手摺りをデッキから上方向きに突設され、手摺りが下端側だけでデッキに支持される構造になっていた。従来の場合、手摺りの上端側が振れ易くなる。
手摺りをデッキと運転部とに連結して支持する支持構成を採用しても、デッキと運転部との間に相対的な振動や揺れ動きが発生する場合、デッキと運転部との相対振動によって手摺りの変形や破損が発生し易くなる。
【０００５】
本発明の目的は、手摺りを振れ動き難いようにかつ変形や破損し難い状態で備えることができる作業機を提供することにある。
【課題を解決するための手段】
【０００６】
本発明による作業機は、
運転部を支持する運転部フレームと、
前記運転部の横側方に張り出す状態で、前記運転部を介して前記運転部フレームに支持されたデッキと、
前記運転部と前記デッキとに連結されて支持された手摺りと、を備えている。
【０００７】
本構成によると、手摺りが運転部とデッキとによって支持されるので、デッキだけによって支持されるのに比べ、手摺りの振れ動きが生じ難い。運転部及びデッキが共に運転部フレームに支持されて運転部とデッキとの相対振動が発生し難くいので、手摺りの変形や破損が生じ難い。
【０００８】
本発明において、
前記デッキにおける機体横方向での内端部が前記運転部に連結されて支持され、
前記デッキにおける機体横方向での外端部に前記手摺りが連結されていると好適である。
【０００９】
本構成によると、デッキの内端部が運転部に直接に連結して支持され、外端部が手摺りを介して運転部に連結して支持されるので、内端部だけが運転部に連結した片持ち状態で支持されるのに比べ、手摺りを連結手段に活用した簡単な構造で、デッキをしっかり支持させられる。
【００１０】
本発明において、
前記デッキは、前記運転部の横側部における前端側と後端側とに亘って設けられ、
前記手摺りとして、前記デッキの前端側に設けた前側の手摺り、及び、前記デッキの後端側に設けた後側の手摺りが備えられ、
前記前側の手摺りは、前記デッキの前端側に連結され、前記後側の手摺りは、前記デッキの後端側に連結されていると好適である。
【００１１】
本構成によると、運転部の横側部における前端側と後端側とに亘る広い範囲にデッキを位置させることができ、運転部の横側部における作業などを行ない易い。デッキの前端側においては、前側の手摺りを使用することができ、デッキの後端側においては、後側の手摺りを使用することができ、デッキ上の作業などを行ない易い。
【００１２】
本発明において、
前記手摺りの下端側は、前記デッキの機体横外側に張り出され、かつ、前記デッキの機体横外側の側部に連結されていると好適である。
【００１３】
本構成によると、手摺りの下端側がデッキから機体横外側に外れて位置してデッキ上の移動や作業に対する障害になり難いので、デッキ上の作業などを行ない易い。
【００１４】
本発明において、
前記運転部に屋根部が備えられ、
前記屋根部を支持する支柱に前記手摺りの上端側が連結されていると好適である。
【００１５】
本構成によると、屋根部を支持するために優れた強度を備える支柱によって手摺りをしっかり支持させることができる。
【００１６】
本発明において、
前記運転部に屋根部が備えられ、
前記屋根部を支持する支柱のうちの後方側の支柱に、前記デッキよりも上方箇所に対する昇り降りを可能にする梯子が連結され、
前記手摺りの上端側が前記梯子に連結されていると好適である。
【００１７】
本構成によると、手摺りを支柱に連結する連結部材に梯子を活用した簡単な構造によって手摺りを支柱にしっかり支持させられる。
【００１８】
本発明において、
前記梯子は、平面視で機体後方側ほど機体横外側に位置する状態で備えられ、
前記手摺りは、前記梯子における機体外側の箇所に連結されていると好適である。
【００１９】
本構成によると、手摺りが梯子の機体横外側箇所に位置するので、手摺りを支柱に連結する連結部材に梯子を活用するものでありながら、梯子を使用する際、手摺りが障害になり難い。
【００２０】
本発明において、
前記運転部の後方に、機体横外方に向けて穀粒排出する穀粒タンクが設けられ、
前記デッキは、前記運転部に対し、平面視で、前記穀粒タンクによる穀粒排出が行われる機体横外方側と同じ側に位置しており、
前記手摺りとして、前記デッキの後端側に設けられた後側の手摺りが備えられ、
前記後側の手摺りに、前記穀粒タンクの穀粒排出操作を行なう操作具が支持されていると好適である。
【００２１】
本構成によると、デッキ上において、穀粒タンクの穀粒排出の状況を見通しながら操作具を操作することが可能である。手摺りを支柱部材に活用した簡単な構造により、操作具の取付高さをデッキから操作し易い取付高さにできる。つまり、穀粒の排出調節をするなど、穀粒タンクに対する操作を行ない易いものを構造簡単に得られる。
【００２２】
本発明において、
前記運転部の後方に、機体横外方に向けて穀粒排出する穀粒タンクが設けられ、
前記デッキは、前記運転部に対し、平面視で、前記穀粒タンクによる穀粒排出が行われる機体横外方側と同じ側に位置しており、
前記手摺りとして、前記デッキの後端側に設けられた後側の手摺りが備えられ、
前記後側の手摺りにおける上下中間部に作業灯が支持されていると好適である。
【００２３】
本構成によると、穀粒タンクの穀粒排出の状況を作業灯によって照明しながら、デッキ上から見通すことが可能である。つまり、穀粒排出の状況を見通し易いものを、手摺りを作業灯の支柱部材に活用した簡単な構造によって得られる。
【００２４】
本発明において、
前記運転部の後方側箇所が走行機体に連結されていると好適である。
【００２５】
本構成によると、運転部を後方箇所においても走行機体にしっかり支持させられる。
【図面の簡単な説明】
【００２６】
【図１】コンバインの全体を示す左側面図である。
【図２】コンバインの全体を示す右側面図である。
【図３】コンバインの全体を示す平面図である。
【図４】運転部を示す左側面図である。
【図５】左のデッキ及び左の手摺りを示す正面図である。
【図６】運転部を示す右側面図である。
【図７】右のデッキ及び右の手摺りを示す正面図である。
【図８】運転部フレーム及びデッキを示す斜視図である。
【図９】運転部フレーム及びデッキを示す斜視図である。
【図１０】運転部及び左のデッキの支持構造を示す側面図である。
【図１１】運転部の支持構造を示す側面図である。
【図１２】運転部の支持構造を示す正面図である。
【図１３】デッキの支持構造を示す正面図である。
【図１４】機体フレームに対する運転部後方の連結構造を示す側面図である。
【図１５】機体フレームに対する運転部後方の連結構造を示す側面図である。
【発明を実施するための形態】
【００２７】
以下、本発明の実施の形態を図面に基づいて説明する。
図１は、本発明の実施例に係る作業機の一例であるコンバインの全体を示す左側面図である。図２は、本発明の実施例に係る作業機の一例であるコンバインの全体を示す右側面図である。図３は、本発明の実施例に係る作業機の一例であるコンバインの全体を示す平面図である。
【００２８】
図１，２，３に示すように、本発明の実施例に係る収穫機の一例であるコンバインは、機体フレーム１の前部に左右一対の前車輪２が駆動可能に装備され、機体フレーム１の後部に左右一対の後車輪３が操向操作可能に装備された走行機体を備えている。走行機体の前部に運転部４が設けられている。走行機体における運転部４の後方の部位に、脱穀装置５及び穀粒タンク６が設けられている。脱穀装置５の前部からフィーダ７が運転部４の下方を通る状態で前方に延出されている。フィーダ７の延出端部に刈取部８が連結されている。刈取部８は、フィーダ７が刈取り昇降シリンダ９によって脱穀装置５に対して上下に揺動操作されることにより、バリンカン型の刈取装置８ａが圃場面の近くに下降した状態の下降作業状態と、刈取装置８ａが圃場面から上方に高く上昇した状態の上昇非作業状態とに亘って昇降操作されるようになっている。
【００２９】
走行機体の前車輪２と後車輪３との間の部位に、エンジン１０が設けられている。エンジン１０は、脱穀装置５の横側方に設けられている。エンジン１０が出力する駆動力は、前車輪２、脱穀装置５、フィーダ７及び刈取部８へ伝達するよう構成されている。
【００３０】
コンバインは、刈取部８を下降作業状態に下降した状態で走行機体を走行させることにより、稲、麦などの収穫作業を行なう。
すなわち、刈取部８は、走行機体の前方に位置する稲、麦などの植立穀稈のうちの刈取り対象の植立穀稈を左右一対のデバイダ８ｂによって刈取部内に導入し、導入した植立穀稈の株元を刈取装置８ａによって切断することにより、植立穀稈の刈取りを行なう。フィーダ７が刈取部８からの刈取り穀稈の株元から穂先までの全体を脱穀装置５に供給する。脱穀装置５は、刈取り穀稈を回動駆動される扱胴５ａによって脱穀処理し、脱穀処理によって得た穀粒を穀粒タンク６に供給する。
【００３１】
穀粒タンク６は、走行機体横方向での右端寄りの部位に設けられた走行機体前後向きの昇降軸芯Ｐまわりに上下揺動するように前後一対の支持部１１に支持され、タンク昇降シリンダ１２によって、脱穀装置５の上方に下降した状態の下降貯留姿勢と、脱穀装置５に対して上昇した状態の上昇排出姿勢とに亘って揺動操作されるようになっている。前後一対の支持部１１は、機体フレーム１に備えられたタンク支持フレーム部１３の上部に設けられている。タンク支持フレーム部１３は、脱穀装置５の横側方に設けられている。タンク支持フレーム部１３は、走行機体前後方向に並ぶ複数本の支柱フレーム、及び、複数本の支柱フレームに連結された走行機体前後向きの梁フレームを備えている。
【００３２】
つまり、穀粒タンク６を下降貯留姿勢にすることにより、脱穀装置５からの穀粒を穀粒タンク６に回収して貯留できる。穀粒タンク６を上昇排出姿勢に操作することにより、穀粒タンク６に貯留された穀粒を、穀粒タンク６の右端部に設けられた排出口６ａ（図２参照）から機体右横外側に向けて自然流出によって排出できる。穀粒タンク６の右端側には、排出口６ａからの穀粒を機体横外側に落下案内する案内シュート１４が上昇格納姿勢と下降使用姿勢とに亘って上下揺動可能に装備されている。排出口６ａは、案内シュート１４が上昇格納姿勢に切り換えられることによって案内シュート１４によって閉じられ、案内シュート１４が下降使用姿勢に切り換えられることによって開放される。
【００３３】
運転部４について説明する。
図１，２，３に示すように、運転部４には、キャビン１７が備えられている。キャビン１７は、透明板製の前壁部、左右の横壁部１５、後壁部及び屋根部１６を有し、これらによって運転部４の居住空間を覆っている。
【００３４】
図１０，１１，１２，１５に示すように、運転部４の全体は、床部の左横側前部の下方箇所、床部の左横側後部の下方箇所、床部の右横側前部の下方箇所、床部の右横側後部の下方箇所、及び、運転部４の右横側の後方箇所の５箇所において、走行機体に支持されている。５箇所の夫々には、走行機体から運転部４への振動伝達を緩和する緩衝材２８，３５が設けられている。
【００３５】
すなわち、図８，９に示すように、運転部４は、運転部フレーム２０に支持されている。運転部フレーム２０には、床フレーム部２１と、床フレーム部２１の左端側に機体前後方向に並ぶ状態で立設された３本の支柱２２、及び、床フレーム部２１の右端側に機体前後方向に並ぶ状態で立設された３本の支柱２２が備えられている。各支柱２２は、屋根部１６を支持している。床フレーム部２１には、左右一対の機体前後向きの床前後フレーム２３、及び、左右一対の床前後フレーム２３を連結する前後一対の機体横向きの床横フレーム２４が備えられている。
【００３６】
図１０，１１，１２に示すように、左の床前後フレーム２３の前部、左の床前後フレーム２３の後部、前の床横フレーム２４の右端部、及び、後の床横フレーム２４の右端部のそれぞれに、機体側面視形状が上向き開口のU字形状である部材を取り付けることで連結部２５が形成されている。
【００３７】
機体フレーム１の前部に備えられた左右一対の機体前後向きの運転部支持フレーム２６のうちの左の運転部支持フレーム２６の前部及び後部のそれぞれに、機体側面視形状が下向き開口のU字形状である部材を取り付けることで支持部２７が形成されている。右の運転部支持フレーム２６の前部及び後部の夫々に、機体側面視形状が上向き開口のU字形状である部材を取り付けることで支持部２７が形成されている。
【００３８】
左の床前後フレーム２３の前部の連結部２５が左の運転部支持フレーム２６の前部の支持部２７に、上下一対の緩衝材２８及び連結ボルト２９を介して連結されている。左の床前後フレーム２３の後部の連結部２５が左の運転部支持フレーム２６の後部の支持部２７に、上下一対の緩衝材２８及び連結ボルト２９を介して連結されている。
【００３９】
前の床横フレーム２４の連結部２５が右の運転部支持フレーム２６の前部の支持部２７に、上下一対の緩衝材２８及び連結ボルト２９を介して連結されている。後の床横フレーム２４の連結部２５が右の運転部支持フレーム２６の後部の支持部２７に、上下一対の緩衝材２８及び連結ボルト２９を介して連結されている。各緩衝材２８としては、クッションゴムが採用されている。緩衝材２８としては、クッションゴムに代え、スプリング、あるいは、クッションゴムとスプリングとを組み合わせたものなどを採用してもよい。
【００４０】
左の運転部支持フレーム２６は、左右一対の機体前後向きのメインフレーム３０のうちの左のメインフレーム３０の前部に３本の支柱３１を備えた支持構造部３２を介して支持されている。右の運転部支持フレーム２６は、右のメインフレーム３０の前部に３本の支柱３１を備えた支持構造部３２を介して支持されている。左右の支持構造部３２それぞれの３本の支柱３１のうちの最も前側の支柱３１は、支持部２７を介して運転部支持フレーム２６に連結されている。すなわち、支柱３１に備えられた連結板部３１ａと、支持部２７に備えられた連結板部２７ａとが連結ボルトによって連結されている。左右の支持構造部３２それぞれの３本の支柱３１のうちの前から２番目の支柱３１と、運転部支持フレーム２６との連結は、支柱３１に備えられた連結板部３１ａと、運転部支持フレーム２６に備えられた連結板部とを連結ボルトによって連結することによって行なわれている。
【００４１】
図８，１４，１５に示すように、右の３本の支柱２２のうちの最も後側の支柱２２に連結部３３が設けられている。機体フレーム１に備えられたタンク支持フレーム部１３における機体上下向きのフレーム部材１３ａから運転部支持アーム３４が機体前方向きに延出されている。支柱２２の連結部３３と、運転部支持ア−ム３４の延出端部に設けられた筒部３４ａとが緩衝材３５及び連結ピン３６を介して連結されている。
【００４２】
図４，６に示すように、運転部４の左右の横壁部１５のそれぞれには、出入口４０、及び、出入口４０を開閉するドア４１が設けられている。左右のドア４１は、前端側に設けられた機体上下向きの開閉軸芯まわりの揺動によって開閉するように構成されている。
【００４３】
図３~９に示すように、左の出入口４０の外側には、運転部４に対する出入りや、穀粒タンク６の内部状況を見るなどの作業に主として使用するデッキ４２が運転部４から左横外側に張り出た状態で設けられている。右の出入口４０の横外側には、エンジン用のプレエアクリーナ４３の点検作業や、穀粒タンク６の穀粒排出及び穀粒貯留作業に主として使用するデッキ４２が運転部４から右横外側に張り出た状態で設けられている。左右のデッキ４２には、運転部４の横側部における前端側と後端側とに亘って設けられている。左右のデッキ４２の上面には、スベリ止め突部４５が設けられている。スベリ止め突部４５は、デッキ４２にバーリング加工によって発生した立ち上がりによって構成されている。
【００４４】
左のデッキ４２は、図１０，１３に示す支持構造によって運転部４を介して運転部フレーム２０に支持されている。
すなわち、デッキ４２の下面側の前部及び後部のそれぞれに、機体横向きの取付アーム部４６が備えられている。取付アーム部４６は、機体側面視の形状が上向き開口のＵ字形状に形成された部材によって構成されている。床フレーム部２１における左の床前後フレーム２３の前部及び後部のそれぞれに、デッキ支持部４７が備えられている。デッキ支持部４７は、機体側面視の形状が下向き開口のＵ字形状に形成された部材によって構成されている。
【００４５】
デッキ４２の前部の取付アーム部４６の機体横内側部分が床前後フレーム２３の前部のデッキ支持部４７に連結ボルトによって連結されている。デッキ４２の後部の取付アーム部４６の機体横内側部分が床前後フレーム２３の後部のデッキ支持部４７に連結ボルトによって連結されている。
【００４６】
右のデッキ４２の支持構造は図示しないが、右のデッキ４２は、左のデッキ４２の支持構造と同じ構成を備えた支持構造によって運転部４を介して運転部フレーム２０に支持されている。
ただし、左のデッキ４２の支持構造では、床フレーム部２１における左の床前後フレーム２３の前部及び後部にデッキ支持部４７が備えられているが、右のデッキ４２の支持構造では、床フレーム部２１における右の床前後フレーム２３の前部及び後部にデッキ支持部４７が備えられている。
【００４７】
従って、左のデッキ４２及び右のデッキ４２の夫々は、機体横方向での内端部が運転部４に支持される状態で、運転部４の横側方に張り出している。
【００４８】
左のデッキ４２の前端側、及び、左のデッキ４２の前端側それぞれに手摺り５０が設けられている。前端側の手摺り５０は、サイドミラー６５の角度調節などに使用できる。左のデッキ４２の後端側に手摺り５１が設けられている。後端側の手摺り５１は、脱穀装置５及び穀粒タンク６の点検などに使用できる。右のデッキ４２の後端側に手摺り５２が設けられている。後端側の手摺り５２は、穀粒タンク６の揺動操作などに使用できる。
【００４９】
左のデッキ４２の後端側の下方に、地上とデッキ４２との間の乗り降りに使用する階段５３が設けられている。階段５３は、機体フレーム１に支持されている。具体的には、運転部支持フレーム２６に左右一対のブラケット２６ａが設けられている。階段５３の上端部に設けられた左右一対の連結部材５３ａが左右一対のブラケット２６ａに振り分けて連結されている。階段５３の最下段の左右の側板５３ｂは、例えば硬質ゴムなど、硬めの弾性体によって構成されている。
【００５０】
左のデッキ４２及び右のデッキ４２夫々の前端側の手摺り５０について詳述する。
左右の前側の手摺り５０は、デッキ４２の機体横外側の側部４２ａに設けられた支持部に連結している連結箇所から機体横外向きにかつ機体前方向きに直線状に張り出した下部５０ａと、この下部５０ａの張り出し端部から機体上方向きに延出した上下向き部５０ｂと、この上下向き部５０ｂの延出端部から機体横内向きに直線状に延出した上部５０ｃとを備えている。上部５０ｃの延出端部は、３本の支柱２２のうちの最も前側の支柱２２に設けられた支持部に連結されている。上下向き部５５ｂの中間部位から取付アーム部５０ｄが機体横内向きに延出され、取付アーム部５０ｄの延出端部が最も前側の支柱２２に設けられた支持部に連結されている。
【００５１】
従って、左右の前側の手摺り５０夫々の下端側は、デッキ４２の機体横外側の側部４２ａに連結されており、デッキ４２における機体横方向での外端部に支持されている。左右の前側の手摺り５０夫々の上端側は、前側の支柱２２に連結されており、運転部４に支持されている。
【００５２】
左のデッキ４２の後端側の手摺り５１について説明する。
左の３本の支柱２２のうちの最も後側の支柱２２に、左のデッキ４２と、このデッキ４２よりも上方に位置する穀粒タンク６の上部との間を昇り降りするための梯子５４が連結されている。梯子５４は、平面視で機体後方側ほど機体横外側に位置する状態で備えられている。梯子５４は、穀粒タンク６の点検などに使用できる。
【００５３】
左の後側の手摺り５１は、デッキ４２の機体横外側の側部４２ａに設けられた支持部に連結されている連結箇所から機体横外向きに張り出た下部５１ａと、この下部５１ａの張り出し端部から機体上方向きに鉛直に延出した上下向き部５１ｂと、この上下向き部５１ｂの延出端部から機体横内向きに、かつ機体後方向きに延出した傾斜部５１ｃとを備えている。傾斜部５１ｃの延出端部は、梯子５４のうちの機体外側に位置する箇所に設けられた支持部に連結されている。手摺り５１が連結する梯子５４の機体外側箇所としては、踏桟の横外側端部が連結している支柱５４ａを設定してある。
【００５４】
従って、左の後側の手摺り５１の下端側は、デッキ４２の機体横外側の側部４２ａに連結されており、デッキ４２における機体横方向での外端部に支持されている。左の後側の手摺り５１の上端側は、梯子５４を介して後側の支柱２２に連結されており、梯子５４を介して運転部４に支持されている。
【００５５】
右のデッキ４２の後端側の手摺り５２について説明する。
右の後側の手摺り５２は、デッキ４２の機体横外側の側部４２ａに設けられた支持部に連結されている連結箇所から機体横外向きに張り出た下部５２ａと、この下部５２ａの張り出し端部から機体上方向きに鉛直に延出した上下向き部５２ｂと、この上下向き部５２ｂの延出端部から機体後方向きに、かつ機体上方向きに延出した傾斜部５２ｃと、この傾斜部５２ｃの延出端部から機体横内向きに延出した横向き上部５２ｄとを備えている。横向き上部５２ｄの延出端部は、運転部４の後壁にブラケットを取り付けて形成された支持部に連結されている。上下向き部５２ｂの上端寄りの部位から取付アーム部５２ｅが機体後方向きに延出され、取付アーム部５２ｅの延出端部は、運転部４の後壁にブラケットを取り付けて形成された支持部に連結されている。
【００５６】
従って、右の後側の手摺り５２の下端側は、デッキ４２の機体横外側の側部４２ａに連結されており、デッキ４２における機体横方向での外端部に支持されている。右の後側の手摺り５２の上端側は、運転部４の後壁に連結されており、運転部４に支持されている。
【００５７】
図２，６，７に示すように、左の手摺り５１と右の手摺り５２のうち、運転部４に対し、穀粒タンク６の穀粒排出側と同じ側に位置する手摺り５２に、穀粒タンク６の操作のための一対の操作具５７，５８、及び、穀粒タンク６の穀粒排出箇所や、地上の穀粒供給箇所などを照明する作業灯６１が支持されている。
【００５８】
一対の操作具５７，５８は、押し操作スイッチによって構成されている。一対の操作具５７，５８のうちの一方の操作具５７は、穀粒タンク６の穀粒排出操作を行なうように構成され、他方の操作具５７は、穀粒タンク６の穀粒貯留操作を行なうように構成されている。
【００５９】
すなわち、一方の操作具５７は、押し操作されることにより、機体フレーム１に支持されているコントロールバルブユニット６０（図２参照）を上昇側に操作してタンク昇降シリンダ１２をタンク上昇側に駆動し、穀粒タンク６を上昇排出姿勢に上昇操作する。
【００６０】
他方の操作具５８は、押し操作されることにより、コントロールバルブユニット６０を下降側に操作してタンク昇降シリンダ１２をタンク下降側に駆動し、穀粒タンク６を下降貯留姿勢に下降操作する。
【００６１】
操作具５７，５８を手摺り５２に支持する支持構造は、図６，９に示す如く構成されている。
すなわち、手摺り５２のうちの横向き上部５２ｄにステーを取り付けることで支持部５６が形成され、支持部５６の上面側に操作具ケース５９が連結ボルトによって脱着可能に取り付けられている。操作具ケース５９に操作具５７，５８が収容されている。つまり、手摺り５２を操作具５７，５８のための支柱に活用して操作具５７，５８をデッキ５２から操作し易い取付高さに取付けられている。支持部５６の後方側端部に、運転部４と穀粒タンク６との間に位置する化粧カバー６３が支持されている。
【００６２】
操作具ケース５９には、操作具５７，５８を支持するケース本体と、ケース本体に揺動開閉可能に支持され、閉じ状態において操作具５７，５８を包囲するカバー５９ａとが備えられている。
【００６３】
図６に示すように、作業灯６１は、手摺り５２のうちの取付アーム部５２ｅに支持されており、手摺り５２の上下中間箇所に支持されている。
【００６４】
〔別実施例〕
（１）上記した実施例では、運転部４の両横側にデッキ４２を設けた例を示したが、運転部４の左横側及び右横側のいずれか一方のみにデッキ４２を設けて実施してもよい。
【００６５】
（２）上記した実施例では、デッキ４２の前端側及び後端側の両方に手摺り５０，５１，５２を設けた例を示したが、前端側及び後端側のいずれか一方のみに手摺りを設けて実施してもよい。
【００６６】
（３）上記実施例では、手摺り５０，５１，５２の下端側がデッキ４２の側部４２ａに支持される例を示したが、デッキ４２の上面側に支持されるよう構成して実施してもよい。
【００６７】
（４）上記した実施例では、手摺り５０，５１，５２の上端側が支柱２２に支持される例を示したが、運転部４の横壁部や後壁部に支持されるよう構成して実施してもよい。
【００６８】
（５）上記した実施例では、穀粒タンク６から穀粒を自然流出によって排出するよう構成した例を示したが、スクリューコンベヤによって排出するよう構成して実施してもよい。
【００６９】
（６）上記した実施例では、操作具５７，５８として、押し操作スイッチを採用した例を示したが。揺動レバーを採用して実施してもよい。
【００７０】
（７）上記した実施例では、作業灯６１を設けた例を示したが、作業灯を備えずに実施してもよい。
【産業上の利用可能性】
【００７１】
本発明は、稲、麦を収穫対象とするコンバインの他、トウモロコシやサトウキビなど各種の作物を収穫対象とする収穫機にも利用可能である。また、トラクタ、バックホウなどの建設機械にも利用可能である。
【符号の説明】
【００７２】
４        運転部
６        穀粒タンク
１６      屋根部
２０      運転部フレーム
２２      支柱
４２      デッキ
５０      手摺り（左右のデッキにおける前端側の手摺り）
５１      手摺り（左のデッキにおける後端側の手摺り）
５２      手摺り（右のデッキにおける後端側の手摺り）
５４      梯子
５７      操作具
６１      作業灯
【図１】
2016037052.tif 000003
【図２】
2016037052.tif 000004
【図３】
2016037052.tif 000005
【図４】
2016037052.tif 000006
【図５】
2016037052.tif 000007
【図６】
2016037052.tif 000008
【図７】
2016037052.tif 000009
【図８】
2016037052.tif 000010
【図９】
2016037052.tif 000011
【図１０】
2016037052.tif 000012
【図１１】
2016037052.tif 000013
【図１２】
2016037052.tif 000014
【図１３】
2016037052.tif 000015
【図１４】
2016037052.tif 000016
【図１５】
2016037052.tif 000017